(57)【要約】      （修正有）【課題】身近にあるテレビと、リモコンを利用して通信できる装置により、インターネット電話を利用した安価な通信システムを提供する。【解決手段】テレビのリモコン程度の操作器で簡便な操作を提供する。危険に対しては、運営者がサーバを管理し、サプライヤ、カスタマ双方に管理サービスを提供する。【選択図】図２
2016111529.tif 000002
【特許請求の範囲】
【請求項１】
身近にある既存のテレビ装置を画面として利用し、通信システムを構築するための外付けテレネットコントローラとテレネットリモコンの一対の装置
【請求項２】
請求項１とインターネットを利用して、情報初心者等のカスタマとサプライヤ間の有料もしくは無料の会員制のネットワークグループを構築しカスタマに簡便、安全、安価に情報提供、購買、保全、医療、通信サービス等を提供するビジネスの方法。
【発明の詳細な説明】
【技術分野】
【０００１】
本発明は、テレビとコンピュータにより各種信号、各種情報を処理、コントロールし、インターネットを利用して、ネットワークグループを構成し、安全かつ簡便な通信を提供するビジネスモデルである。
以降本発明の名称であるテレビ利用ネットワークをテレネットと称す。
【背景技術】
【０００２】
本稿でいうインターネット通信ソフトウエアとはインターネットエクスプローラやスカイプ,ライン等の名称で一般的に普及している汎用、廉価な検索や会話、通信を行うソフトウエアのことである。
またコンピュータとはテレビ信号、インターネット信号、電話信号、ビデオカメラ画像信号、マイクロホン音声入出力、各種センサ信号、リモコンからの操作信号やデータ等を検出し、本システムを制御する装置で、その制御プログラムを含めて以降テレネットコントローラと称す。
リモコン装置は通常のテレビリモコン機能とキーボード機能とマイクロホン、イヤホン入出力機能を有し無線、有線でコントローラと通信する機能を持ち以降テレネットリモコンと称す。
テレネットコントローラを制御するソフトウエアはインターネット信号、通信通話信号、インターネット情報、テレビ信号、マイクロホン、イヤホン信号、ビデオカメラ信号、テレネットリモコン情報を統括制御するソフトウエアあり以降テレネットソフトウエアと称す。
【０００３】
【特許文献１】特開  平9-54801 オンラインショッピング方式はオンラインによる受発注システムの発明である。この発明は、オンラインショッピング・システムの装置、方式についての発明であるが効率性、確実性が謳われているだけで、簡便性、費用性、安全性についての発明がなされていない。またビデオカメラ信号、音声信号や各種センサ信号が利用されておらず、高齢者と医療機関間のネットワークも構成されないし、テレビリモコンをデータ入力装置として利用する構想がないので、高齢者や障害者の危機管理や発注操作を目的とするものではない。この発明に対比して本発明は以降に説明するシステムと機能により、カスタマサイドに立ち、簡便性、安全性、費用性に重点を置いた発明である。
【発明の概要】
【発明が解決しようとする課題】
【０００４】
昨今スカイプ、ライン、フェイスブックといった名称のインターネット電話を利用した無料、安価な通信システムが多く利用されている。
インターネット電話の特徴は画像付の電話が無料なのであり、従来1時間の会話で数千年もかかった海外との通話が無料で行えるのである。
多くの場合は携帯電話、スマートホンやパソコンを経由して通話通信するものである。
これらの機器が高性能安価になったため、この通信方法による交流（テレビ電話、ネットオークション、ネットショッピング、会議、現場管理、受発注データ通信、メディカルデータ通信等以降交流等と称す）は格段の飛躍をとげ，今後ますます普及、隆盛が予想される。
しかしながら、これらの機器が高機能、複雑になるにつれ、未成年若年者、操作初心者、高齢者、視覚、聴覚、知的、身体的各種障碍者等（以降操作未熟練者を含め情報初心者等と称す）はますますこの受益から取り残され、いわゆる情報格差が拡大しているのも事実であり、このままではこの格差は今後ますます広がるであろう。
また本発明者を含め所謂団塊の世代が高齢化し被介護者になりつつある現状では上記
を翻ってみれば、これらの情報初心者等は今後日本ひいては世界の人口のマジョリティを構成する層であるが故、大きな商機を逸失しているともいえる。
本発明はかかる現状に鑑み発明されたものである。
本発明において利用する多くの要因、技術は既存の技術やソフトウエアであり本発明の要点はこれらの技術、ソフトウエア、通信ネットワークを効果的に組み合わせ情報初心者等の交流、購買、医療保護等を安全、簡便、安価に提供することである。
また本発明の目的は安全かつ簡便な交流等を提供するものであり、その解決すべき課題は大きく分けて４点ある。
【０００５】
第一の課題は操作簡便性の問題である。
現状の卓上電話以外の携帯通信システムのユーザ側における基本的なハードウエアは主に携帯電話、パソコン、スマートホン等（以降パソコン等と称す）のいわゆるキーボードが小さい、見え難くい、入力しにくい、打鍵数が多い、複雑な切り替え操作の多いこれらのハードウエアが情報初心者等を敬遠させている。
パソコンのキーボードはまだしも携帯電話、スマートホンに至っては情報初心者等にとっては文字を判読することも困難であり、ましてや矮小なキーを打鍵すること等は到底不可能である。
この時点で敬遠されているより使用を拒絶されているといったほうが正しい。
この原因は製造者側の製造コスト上の理由によるものであり、老若男女すべての層が最低限使用出来、すべての機能を万遍なく一堂に会して配置しているからである。
たとえばテレビリモコンも一種のキーボードであるが、昨今のリモコンもやはり高機能多数キー配置であり、情報初心者等にとっては難解な代物である。
パソコン等のキーボードよりはましで、情報初心者等はかろうじて苦労して利用しているのである。
一時代昔のリモコンは電源スイッチと各局チャンネル数字とせいぜい音量ダイアルしかなかったが、このレベルのリモコンが情報初心者等にとっては使い易いキーボードであり、本発明の基本形態はこのレベルのリモコンを目標とする。
ただし同時に情報初心者が本発明を利用する場合はそれなりに高度な機能や操作も必要である。
この機能は、情報初心者にとっては外見的には恐怖であり、敬遠されるので、内蔵または隠ぺいすることがのぞましい。
第二の課題も簡便性の問題であるが、現状ではユーザ側におけるハードウエアがパソコン等であり、いわゆるパソコン部屋に置いてあったり、起動するのに時間がかかったり、時には数桁のパスワード、ＩＤワード等要求されるし、通常はパソコン部屋等に置いてあるため、一部の身体障碍者や老齢者には存在場所まで移動し、起動することがそもそも不可能なのである。
本発明は基本的にはパソコン等は出来るだけ不用とし、常時身近なお茶の間、会議室、リビングやベッドの目視半径内においてあるテレビ受信機のような身近な機器を（以降テレビ等と称す）を利用することである。
【０００６】
第三の課題は費用、効果の問題である。
例えば高齢者が電話する際に長電話、かけっぱなし、かけまくり等がよく問題になる。
そのため高齢者には携帯電話は持たせないということが一般的であり、会議その他の交流等でも一般電話システムを使う場合には費用時間を気にしなければならないし、さらに現場の映像、画像を送信するにも通信費用のことは必ず考えなければならない。
上述のインターネット電話はインターネット回線が引いてあれば基本料金を払うだけで、何時間でも無料通話ができる。
第四の課題は安全性の問題である。
昨今振込詐欺等公共機関や親族に成りすまし高齢者、未成年者、認知障害者等の知的弱者をねらった詐欺犯罪が流行っている。
現状では通信相手の実像が見えない、知的弱者の金銭決済を管理する第３者がいない、通信内容が強化された第３者に開示、監視されるようなシステムになっていない、利用者、交流者だけの登録、会員制とする限定されたネットワーク環境が提供されていない等、情報初心者にとってネットワーク上の安全盲点が存在し、情報初心者や知的弱者は危険にさらされているのである。
【課題を解決するための手段】
【０００７】
請求項１の発明はテレネットコントローラ100をテレビに外付けし、テレネットリモコン120で操作し、テレビ等110をテレビ電話、画面操作受発注装置として利用する一対の装置（テレネットコントローラとテレネットリモコンの組み合わせで以降テレネットパックと称す）のことである。（図１）
装置的にはパソコンセットからディスプレイを除いたようなもので、逆にディスプレイを加えるとパソコンセットになる。
テレネットリモコン120はコンピュータとテレビチャンネルキー124（キーボード兼用）とビデオカメラ103とマイクロホン104、スピーカ(テレビのスピーカと併用)、音量調節ボリューム機能、イヤホン等音声入出力装置（以降マイクロホン等と称す）と血圧計、体温計等のメディカルセンサ、ガス火災検知器、人感センサ、ガス水道電気電話計量器、介護用アクチュエータ（以降メディカルセンサ等と称す）131で構成される。
従来のリモコンと異なりテレネットコントローラとテレビ等を介してテレビ電話ができること、リモコンのチャンネルキ―により数値データを送信できること、また情報初心者以外が操作する場合はパソコン並みの操作機能（パソコン並みとは、インターネットメールや、ブラウザーによる情報検索、ワープロ機能、作図作画機能、数値計算等一般のパソコンが有する機能）が必要である。
それに対応した内蔵または隠ぺいされたキーボード125も装備することとする。
メディカルセンサ等131はテレネットコントローラ100またはテレネットリモコン120に接続されており、常時またはサプライヤ200からのリクエストにより検知、データ送信されるものとする。
カスタマ210の画像や音声もサプライヤからのリクエストに応じて送信できるものとする。
テレネットコントローラ100はコンピュータとテレビ信号、インターネット信号、電話信号（以降インターネット信号等と称す）を送受信する外部信号インターフェースとテレネットリモコンからの信号を送受信するテレネットインタフェースと屋内信号ビデオカメラとマイクロホン等とメディカルセンサ等で構成され、インターネット信号等をテレネットリモコンからの指示により入出力、表示する。
【０００８】
請求項2の発明は、請求項1の発明とインターネット206とサーバ205を利用し、情報初心者等に商品売買のサービスや介護サービスや現場管理サービスや他カラオケ配信、ゲーム配信やその他英会話などの語学カルチャー習得スクール、各種研修サービス等を提供するビジネス形態である。（図２）
なお近年テレビにパソコンを内蔵した商品やパソコンにテレビチューナ外付けしてパソコンでテレビを鑑賞する商品もあり、請求項2の発明にはこれらを含む。
運営会社はサプライヤ200とカスタマ210から会員を募り、カスタマにはテレネットパックとインターネット環境を有償販売またはリース販売または無償提供する。
サプライヤ200は装置としては自前のパソコン等を用意し、運営会社からアカウントとプログラムパックを有償購入もしくはレンタルし、サーバ205を介して、カスタマと交流等を行う。
また通信費を抑えるためインターネット電話（現状ではスカイプやラインの名前のアプリケーションが無償で提供されている）等利用する。
安全を期するため、サプライヤ200とカスタマ210は登録されたコードでお互いが認識出来るものとする。
また本発明においては、情報初心者等のネットワーク利用による被害を防ぐため、カスタマの親族や後見人等許可された第三の監視者207を置き一定のルールのもとの一定額以上の決済や発注あるいは危険な情報との交流を監視する。
本発明を具体的に説明するため寝たきりのカスタマが弁当を購入する例をあげる。
カスタマは寝たきりであるが、テレネットリモコンでテレネットコントローラを操作して、登録されている商店の情報をテレビに写し商品を確認する。
気に入った弁当の商品番号を入力し、注文キーを押して送信する。
この図2は高齢者が近所の仕出し弁当屋さんに弁当を発注している図である。
このようにして身近のリモコンとテレビで弁当を信頼できるサプライヤに発注できる。
その情報は一定のルールのもと（たとえば一定金額以上の場合等）許可された第三の監視者207に並信されることで高価、大量、無駄な買い物のチェック阻止ができるものとする。
交流等の情報は通信情報等記憶装置102に保存され、事後のトラブル回避に利用できる。
又許可された監視者207や医療機関202はカスタマの許可なく、カスタマ210の映像監視、医療センサ、アクチュエータ131の情報採取、管理を行うことが出来、緊急時連携してケアすることが出来る。
【０００９】
上記発明は近年増大する突然災害（大雨、地震、地滑り、凶悪犯罪等）事前報知等に有効である。
【発明の効果】
【００１０】
情報技術の発達は製造、販売、余暇すべての分野に寄与し、日進月歩で新しいサービスが提供されている。
しかながら、上述の如く自助努力して操作を習得しなければそのサービスを受けられないのが現状である。
本発明は情報初心者等がいわゆるパソコン教室に通わなくても、マニュアルを読まなくても操作し、情報化社会の恩恵を享受することができる。
また無用の公的サービスを節約出来るし、潜在的なマーケットの開拓に寄与するのである。
【図面の簡単な説明】
【００１１】
【図１】請求項1のテレネットコントローラとテレネットリモコンの構造を説明した図面である。
【図２】請求項2の発明の構成を説明した図面である。
【発明を実施するための形態】
【００１２】
本発明のハードウエアはテレビ外付けのテレネットコントローラとテレネットリモコンである。
本発明の実験は全て既存機器の転用、アセンブルで実施できる。
ノートパソコンに外付けのカメラと外付けのTVチューナを取り付け、ワイアレスキーボードをリモコンに見立て、ケーブルテレビを通してカスタマと別の場所にあるPCセットをサプライヤとし、スマートホンを第三の監視者とするシステムを構築している。
発明者近親の高齢者をカスタマに見立ててソフトウエア制作し実験を行っている。
【産業上の利用可能性】
【００１３】
いわゆるテレビショッピングの商圏に情報初心者が簡便に参加できるため、サプライヤにとって商機の増大はもちろんであるが、判断力の低い情報初心者等が発注する場合は、交流状況等を許可された第三の監視者に共有させる機能があるため安心、安全な受発注ができる。
今後日本社会は高齢化し所謂第3次産業主流の社会へと移行する。
その他災害や犯罪も頻発するなど災害事前情報サービス、遠隔医療サービス等社会公共上の効率利便性や第3次産業上のメリットも多大である。
【符号の説明】
【００１４】
100  テレネットコントローラ
101  CPU 
102  通信情報等記憶装置                    
103  ビデオカメラ
104  マイクロホン
105  インターネット、テレビ信号、電話等                
110  テレビ
120  テレネットリモコン
121  テレネットリモコン表部分  
122  テレネットリモコン裏もしくは隠ぺい部分     
123  表示装置    
124  リモコンキー部分（少数キー配置）                  
125  キーボード（パソコンキーボード同等）
130  テレネットコントローラ、テレネットリモコン通信装置
131  メディカルセンサ等（血圧、体温計、ガス火災検知器、人感センサ、ガス水道電       気電話計量器、介護用アクチュエータ）  
200  サプライヤ                   
201  販売業者、サービス提供業者（語学学校、研修学校、ゲーム、カラオケ配信業者）
202  医療機関                     
203  携帯端末、スマートホン等
204  作業現場、会議室、語学教室、オークション会場、ゲーム、カラオケ配信会社等
205  運営管理サーバ
206  インターネット電話回線
207  許可された監視人
210  カスタマ              
【図１】
2016111529.tif 000003
【図２】
2016111529.tif 000004
【手続補正書】
【提出日】平成27年12月24日(2015.12.24)
【手続補正１】
【補正対象書類名】特許請求の範囲
【補正対象項目名】請求項１
【補正方法】変更
【補正の内容】
【請求項１】
既成のテレビ受像機に一般電話通信機能及びインターネット電話通信機能とインターネット通信機能とビデオカメラとマイクとスピーカもしくはイヤホン等の音声入出力機能を接続したコンピュータを内蔵もしくは外付けした装置と、この装置を遠隔で操作するテレビチャンネル切り替え機能とビデオカメラとマイクとスピーカもしくはイヤホン等の音声入出力機能と文字数字記号等入力キーボードもしくは音声認識入出力機能を持ち血圧計や体温計等のメディカルセンサ機能が接続されコンピュータにより制御されるリモコンにより構成される一体のシステム。
【手続補正２】
【補正対象書類名】特許請求の範囲
【補正対象項目名】請求項２
【補正方法】変更
【補正の内容】
【請求項２】
請求項１の発明による装置を一定の規約や制約を遵守する義務を負い独自のコードを付与されている会員に有償もしくは無償で供与し、それらの会員がインターネットおよびサーバを介して相互に情報を共有するグループを構成し、それらの会員は随時的にサプライヤやカスタマになり、物品売買、医療介護、教育指導、情報提供、通話会話等のサービスを有料もしくは無料で提供し、あるいは授受することが出来る会員制グループを運営するビジネスの方法。